【手続補正書】
【提出日】平成18年12月22日(2006.12.22)
【手続補正１】
【補正対象書類名】明細書
【補正対象項目名】発明の名称
【補正方法】変更
【補正の内容】
【発明の名称】色処理装置およびその方法
【手続補正２】
【補正対象書類名】明細書
【補正対象項目名】特許請求の範囲
【補正方法】変更
【補正の内容】
【特許請求の範囲】
【請求項1】
予め定められた格子間隔を有する規則的な格子点により定義され、第一の色空間の色値を第二の色空間の色値に変換するカラールックアップテーブルを生成する色処理装置であって、
前記第一の色空間において第一の間隔を有する格子点に対応するカラーパッチを測色して得られる前記第二の色空間で示される第一の測色値、および、前記第一の色空間において第二の間隔（第二の間隔＜第一の間隔）を有する格子点の一部に対応するカラーパッチを測色して得られる前記第二の色空間で示される第二の測色値を取得する取得手段と、
前記第一の測色値に対応する格子点および前記第二の測色値に対応する格子点に基づき、前記カラールックアップテーブルの規則的な格子点を設定する設定手段と、
前記設定手段が設定した格子点に対応する前記第二の色空間の色値を求め、前記求めた第二の色空間の色値を前記カラールックアップテーブルに格納する格納手段とを有し、
前記格納手段は、ターゲットの格子点に対応する測色値が前記第一および前記第二の測色値に存在するか否かを判定し、前記ターゲットの格子点に対応する測色値が存在すると判定した場合は前記ターゲットの格子点に対応する測色値を前記カラールックアップテーブルに格納し、前記ターゲットの格子点に対応する測色値が存在しないと判定した場合は前記第一および前記第二の測色値から前記ターゲットの格子点に対応する前記第二の色空間の色値を計算して、前記計算した第二の色空間の色値を前記カラールックアップテーブルに格納することを特徴とする色処理装置。
【請求項2】
前記第二の間隔は、前記第一の間隔の半分であることを特徴とする請求項1に記載された色処理装置。
【請求項3】
第一の色空間の色値を第二の色空間の色値に変換するカラールックアップテーブルを生成する色処理装置であって、
前記第一の色空間において第一の間隔を有する格子点に対応する第一の色点に応じた第一のカラーパッチを測色して得られる前記第二の色空間で示される第一の測色値、および、前記第一の色点とは異なる前記第一の色空間における第二の色点に応じた第二のカラーパッチを測色して得られる前記第二の色空間で示される第二の測色値を取得する取得手段と、
前記第一の色空間において第二の間隔（第二の間隔＜第一の間隔）を有する規則的な格子点を設定する設定手段と、
前記第一および前記第二の測色値から、前記設定手段が設定した格子点に対応する前記第二の色空間の色値を求め、前記求めた第二の色空間の色値を前記カラールックアップテーブルに格納する格納手段とを有し、
前記格納手段は、前記第二の色点の近傍に位置する前記設定手段が設定した格子点に対応する前記第二の色空間の色値を、前記第二の色点の測色値に基づき修正することを特徴とする色処理装置。
【請求項4】
前記格納手段は、前記第二の色点の近傍に位置する前記設定手段が設定した格子点を、前記カラールックアップテーブルを用いて前記色変換を行う際に使用する補間アルゴリズムに応じて選択することを特徴とする請求項3に記載された色処理装置。
【請求項5】
前記格納手段は、前記第二の色点と、前記第二の色点の近傍に位置する前記設定手段が設定した格子点の距離に応じて、前記修正を行うことを特徴とする請求項3または請求項4に記載された色処理装置。
【請求項6】
コンピュータを制御して、請求項1から請求項5の何れか一項に記載された各手段として機能させるコンピュータプログラムが格納されたコンピュータが読取可能な記憶媒体。
【請求項7】
予め定められた格子間隔を有する規則的な格子点により定義され、第一の色空間の色値を第二の色空間の色値に変換するカラールックアップテーブルを生成する色処理方法であって、
前記第一の色空間において第一の間隔を有する格子点に対応するカラーパッチを測色して得られる前記第二の色空間で示される第一の測色値、および、前記第一の色空間において第二の間隔（第二の間隔＜第一の間隔）を有する格子点の一部に対応するカラーパッチを測色して得られる前記第二の色空間で示される第二の測色値を取得する取得ステップと、
前記第一の測色値に対応する格子点および前記第二の測色値に対応する格子点に基づき、前記カラールックアップテーブルの規則的な格子点を設定する設定ステップと、
前記設定ステップで設定した格子点に対応する前記第二の色空間の色値を求め、前記求めた第二の色空間の色値を前記カラールックアップテーブルに格納する格納ステップとを有し、
前記格納ステップは、ターゲットの格子点に対応する測色値が前記第一および前記第二の測色値に存在するか否かを判定し、前記ターゲットの格子点に対応する測色値が存在すると判定した場合は前記ターゲットの格子点に対応する測色値を前記カラールックアップテーブルに格納し、前記ターゲットの格子点に対応する測色値が存在しないと判定した場合は前記第一および前記第二の測色値から前記ターゲットの格子点に対応する前記第二の色空間の色値を計算して、前記計算した第二の色空間の色値を前記カラールックアップテーブルに格納することを特徴とする色処理方法。
【請求項8】
第一の色空間の色値を第二の色空間の色値に変換するカラールックアップテーブルを生成する色処理方法であって、
前記第一の色空間において第一の間隔を有する格子点に対応する第一の色点に応じた第一のカラーパッチを測色して得られる前記第二の色空間で示される第一の測色値、および、前記第一の色点とは異なる前記第一の色空間における第二の色点に応じた第二のカラーパッチを測色して得られる前記第二の色空間で示される第二の測色値を取得する取得ステップと、
前記第一の色空間において第二の間隔（第二の間隔＜第一の間隔）を有する規則的な格子点を設定する設定ステップと、
前記第一および前記第二の測色値から、前記設定ステップで設定した格子点に対応する前記第二の色空間の色値を求め、前記求めた第二の色空間の色値を前記カラールックアップテーブルに格納する格納ステップとを有し、
前記格納ステップは、前記第二の色点の近傍に位置する前記設定手段が設定した格子点に対応する前記第二の色空間の色値を、前記第二の色点の測色値に基づき修正することを特徴とする色処理方法。
【手続補正３】
【補正対象書類名】明細書
【補正対象項目名】０００１
【補正方法】変更
【補正の内容】
【０００１】
【発明の属する技術分野】
本発明は、第一の色空間の色値を第二の色空間の色値に変換するカラールックアップテーブルを生成する色処理に関する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】００１０
【補正方法】変更
【補正の内容】
【００１０】
本発明にかかる色処理装置は、予め定められた格子間隔を有する規則的な格子点により定義され、第一の色空間の色値を第二の色空間の色値に変換するカラールックアップテーブルを生成する色処理装置であって、前記第一の色空間において第一の間隔を有する格子点に対応するカラーパッチを測色して得られる前記第二の色空間で示される第一の測色値、および、前記第一の色空間において第二の間隔（第二の間隔＜第一の間隔）を有する格子点の一部に対応するカラーパッチを測色して得られる前記第二の色空間で示される第二の測色値を取得する取得手段と、前記第一の測色値に対応する格子点および前記第二の測色値に対応する格子点に基づき、前記カラールックアップテーブルの規則的な格子点を設定する設定手段と、前記設定手段が設定した格子点に対応する前記第二の色空間の色値を求め、前記求めた第二の色空間の色値を前記カラールックアップテーブルに格納する格納手段とを有し、前記格納手段は、ターゲットの格子点に対応する測色値が前記第一および前記第二の測色値に存在するか否かを判定し、前記ターゲットの格子点に対応する測色値が存在すると判定した場合は前記ターゲットの格子点に対応する測色値を前記カラールックアップテーブルに格納し、前記ターゲットの格子点に対応する測色値が存在しないと判定した場合は前記第一および前記第二の測色値から前記ターゲットの格子点に対応する前記第二の色空間の色値を計算して、前記計算した第二の色空間の色値を前記カラールックアップテーブルに格納することを特徴とする。
【手続補正７】
【補正対象書類名】明細書
【補正対象項目名】００１１
【補正方法】変更
【補正の内容】
【００１１】
また、第一の色空間の色値を第二の色空間の色値に変換するカラールックアップテーブルを生成する色処理装置であって、前記第一の色空間において第一の間隔を有する格子点に対応する第一の色点に応じた第一のカラーパッチを測色して得られる前記第二の色空間で示される第一の測色値、および、前記第一の色点とは異なる前記第一の色空間における第二の色点に応じた第二のカラーパッチを測色して得られる前記第二の色空間で示される第二の測色値を取得する取得手段と、前記第一の色空間において第二の間隔（第二の間隔＜第一の間隔）を有する規則的な格子点を設定する設定手段と、前記第一および前記第二の測色値から、前記設定手段が設定した格子点に対応する前記第二の色空間の色値を求め、前記求めた第二の色空間の色値を前記カラールックアップテーブルに格納する格納手段とを有し、前記格納手段は、前記第二の色点の近傍に位置する前記設定手段が設定した格子点に対応する前記第二の色空間の色値を、前記第二の色点の測色値に基づき修正することを特徴とする。
【手続補正８】
【補正対象書類名】明細書
【補正対象項目名】００１２
【補正方法】変更
【補正の内容】
【００１２】
本発明にかかる色処理方法は、予め定められた格子間隔を有する規則的な格子点により定義され、第一の色空間の色値を第二の色空間の色値に変換するカラールックアップテーブルを生成する色処理方法であって、前記第一の色空間において第一の間隔を有する格子点に対応するカラーパッチを測色して得られる前記第二の色空間で示される第一の測色値、および、前記第一の色空間において第二の間隔（第二の間隔＜第一の間隔）を有する格子点の一部に対応するカラーパッチを測色して得られる前記第二の色空間で示される第二の測色値を取得する取得ステップと、前記第一の測色値に対応する格子点および前記第二の測色値に対応する格子点に基づき、前記カラールックアップテーブルの規則的な格子点を設定する設定ステップと、前記設定ステップで設定した格子点に対応する前記第二の色空間の色値を求め、前記求めた第二の色空間の色値を前記カラールックアップテーブルに格納する格納ステップとを有し、前記格納ステップは、ターゲットの格子点に対応する測色値が前記第一および前記第二の測色値に存在するか否かを判定し、前記ターゲットの格子点に対応する測色値が存在すると判定した場合は前記ターゲットの格子点に対応する測色値を前記カラールックアップテーブルに格納し、前記ターゲットの格子点に対応する測色値が存在しないと判定した場合は前記第一および前記第二の測色値から前記ターゲットの格子点に対応する前記第二の色空間の色値を計算して、前記計算した第二の色空間の色値を前記カラールックアップテーブルに格納することを特徴とする。
【手続補正９】
【補正対象書類名】明細書
【補正対象項目名】００１３
【補正方法】変更
【補正の内容】
【００１３】
また、第一の色空間の色値を第二の色空間の色値に変換するカラールックアップテーブルを生成する色処理方法であって、前記第一の色空間において第一の間隔を有する格子点に対応する第一の色点に応じた第一のカラーパッチを測色して得られる前記第二の色空間で示される第一の測色値、および、前記第一の色点とは異なる前記第一の色空間における第二の色点に応じた第二のカラーパッチを測色して得られる前記第二の色空間で示される第二の測色値を取得する取得ステップと、前記第一の色空間において第二の間隔（第二の間隔＜第一の間隔）を有する規則的な格子点を設定する設定ステップと、前記第一および前記第二の測色値から、前記設定ステップで設定した格子点に対応する前記第二の色空間の色値を求め、前記求めた第二の色空間の色値を前記カラールックアップテーブルに格納する格納ステップとを有し、前記格納ステップは、前記第二の色点の近傍に位置する前記設定手段が設定した格子点に対応する前記第二の色空間の色値を、前記第二の色点の測色値に基づき修正することを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００６６
【補正方法】削除
【補正の内容】
【手続補正１５】
【補正対象書類名】明細書
【補正対象項目名】００６７
【補正方法】削除
【補正の内容】